(57)【要約】  【目的】  比較的簡単に画像を整理する。  【構成】  画像保管装置がディジタル・スチル・カメラと接続され（ステップ71），そのカメラのシリアルＩＤおよび製品ＩＤが取得される（ステップ72）。カメラから画像ファイルが読み取られる（ステップ73）。接続されたカメラに対応するカメラ用フォルダが生成されている場合には（ステップ74でＹＥＳ），そのフォルダに読み取られた画像ファイルが格納される。生成されていない場合には（ステップ74でＮＯ），新たなフォルダが生成され（ステップ76），生成されたフォルダに読み取られた画像ファイルが格納される（ステップ77）。画像保管装置に画像ファイルを与える機種に対応したフォルダに画像ファイルが整理されて格納されるようになる。  【選択図】  図５
2006094124.tif 000002
【特許請求の範囲】
【請求項１】
画像データ記憶装置から与えられる画像データを入力する画像データ入力手段，
上記画像データ記憶装置の機種を判別する判別手段，および
上記画像データ入力手段に入力した画像データを，上記判別手段によって判別された機種にもとづくグループごとに記憶する画像データ記憶手段，
を備えた画像保管装置。
【請求項２】
画像データ記憶装置から与えられる画像データを入力する画像データ入力手段，
上記画像データ入力手段に画像データによって表わされる画像の撮影日を検出する撮影日検出手段，および
上記画像データ入力手段に入力した画像データを，上記撮影日検出手段によって検出された撮影日ごとに記憶する画像データ記憶手段，
を備えた画像保管装置。
【請求項３】
上記画像データ記憶手段に記憶されている画像データが分けられているグループの中から１つのグループを選択する選択手段，および
上記選択手段によって選択されたグループに含まれる画像データによって表される画像を順に表示するように画像表示装置を制御する表示制御手段，
をさらに備えた請求項１または２に記載の画像保管装置。
【請求項４】
上記選択手段が，
携帯電話から赤外線通信によって送信される選択指令を受信する赤外線受信手段を備え，
上記赤外線受信手段によって受信した選択指令にもとづいて上記１つのグループを選択するものである，
請求項３に記載の画像保管装置。
【請求項５】
グループ内に含まれる画像データによって表される画像を，グループごとに一覧で表示するように画像表示装置を制御する表示制御手段，
上記表示制御手段による制御にもとづいて表示された画像の中から画像を選択する選択手段，および
上記選択手段によって選択された画像を表す画像データを，新たなグループとして記憶するように上記画像データ記憶手段を制御する第１の記憶制御手段，
をさらに備えた請求項１または２に記載の画像保管装置。
【請求項６】
上記記憶制御手段によって記憶された画像データのグループ名を入力するグループ名入力手段，
上記グループ名入力手段によって記憶されたグループ名を表すデータを，上記記憶制御手段の制御のもとに記憶される画像データに対応する新たなグループと関連づけて記憶するように上記画像データ記憶手段を制御する第２の記憶制御手段，
を備えた請求項５に記載の画像保管装置。
【請求項７】
上記グループ名入力手段が，
携帯電話から送信されるグループ名データを受信する赤外線受信手段を備え，
上記赤外線受信手段によって受信したグループ名データによって表されるグループ名を入力するものである，
請求項６に記載の画像保管装置。
【請求項８】
上記画像データ記憶手段にグループごとに記憶されている画像データによって表される画像を含むアルバム・ページを表すデータを生成するアルバム・ページ生成手段，
上記アルバム・ページ生成手段によって生成されたアルバム・ページ・データを所定のアドレスに記憶するように上記画像データ記憶手段を制御する記憶制御手段，
上記アドレスへのリクエストを表すデータを受信する受信手段，および
上記受信手段によってリクエスト・データを受信したことに応じて，上記画像データ記憶手段の上記アドレスに記憶されているアルバム・ページ・データをリクエスト元の装置に送信するアルバム・ページ・データ送信手段，
をさらに備えた請求項１または２に記載の画像保管装置。
【請求項９】
画像データ記憶装置から与えられる画像データを入力し，
上記画像データ記憶装置の機種を判別し，
入力した画像データを，判別された機種にもとづくグループごとに記憶する，
画像保管装置の制御方法。
【請求項１０】
画像データ記憶装置から与えられる画像データを入力し，
入力した画像データによって表わされる画像の撮影日を検出し，
入力した画像データを，検出した撮影日にもとづくグループごとに記憶する，
画像保管装置の制御方法。
【発明の詳細な説明】
【技術分野】
【０００１】
この発明は，画像保管装置およびその制御方法に関する。
【背景技術】
【０００２】
ディジタル・スチル・カメラやカメラ付き携帯電話の普及に伴い気軽に写真を撮る機会が増えている。気軽に写真を撮ることができるから，撮影によって得られた画像の駒数も膨大なものとなる。
【０００３】
ディジタル・スチル・カメラを用いて撮影した画像をテレビジョン装置を用いて鑑賞できるような装置も考えられている（特許文献１）。
【特許文献１】特開2000-341614号公報
【０００４】
しかしながら，このような装置であっても画像を整理して保管することは考えられていない。このために，膨大な数の画像を撮影したものの整理できずに，単に蓄積されているにすぎず，閲覧する機会も無いのが現状である。特にパーソナル・コンピュータを所有していないユーザは画像を整理することは難しい。
【発明の開示】
【０００５】
この発明は，画像を整理して保管できるようにすることを目的とする。
【０００６】
第１の発明による画像保管装置は，画像データ記憶装置から与えられる画像データを入力する画像データ入力手段，上記画像データ記憶装置の機種を判別する判別手段，および上記画像データ入力手段に入力した画像データを，上記判別手段によって判別された機種にもとづくグループごとに記憶する画像データ記憶手段を備えていることを特徴とする。
【０００７】
第１の発明は，上記画像保管装置に適した制御方法も提供している。すなわち，この方法は，画像データ記憶装置から与えられる画像データを入力し，上記画像データ記憶装置の機種を判別し，入力した画像データを，判別された機種にもとづくグループごとに記憶するものである。
【０００８】
第１の発明によると，画像保管装置に画像データを与える画像データ記憶装置の機種が判別される。画像データが入力すると，その入力した画像データが，画像データ記憶装置の機種にもとづくグループごとに記憶される。
【０００９】
画像データは，画像データ記憶装置の機種ごとにグループ化されて整理できるようになる。
【００１０】
第２の発明による画像保管装置は，画像データ記憶装置から与えられる画像データを入力する画像データ入力手段，上記画像データ入力手段に画像データによって表わされる画像の撮影日を検出する撮影日検出手段，および上記画像データ入力手段に入力した画像データを，上記撮影日検出手段によって検出された撮影日にもとづくグループごとに記憶する画像データ記憶手段を備えていることを特徴とする。
【００１１】
第２の発明は，上記画像保管装置に適した制御方法も提供している。すなわち，この方法は，画像データ記憶装置から与えられる画像データを入力し，入力した画像データによって表わされる画像の撮影日を検出し，入力した画像データを，検出した撮影日にもとづくグループごとに記憶するものである。
【００１２】
第２の発明によると，画像保管装置に入力する画像データによって表わされる画像の撮影日が検出される。検出された撮影日にもとづくグループごとに，入力した画像データがグループ化されて記憶される。
【００１３】
画像データは，画像保管装置に入力した撮影日ごとにグループ化されて整理できるようになる。
【００１４】
上記画像データ記憶手段に記憶されている画像データが分けられているグループの中から１つのグループを選択する選択手段，および上記選択手段によって選択されたグループに含まれる画像データによって表される画像を順に表示するように画像表示装置を制御する表示制御手段をさらに備えてもよい。
【００１５】
グループ単位で画像が順に表示されるようになる。
【００１６】
上記選択手段は，たとえば，携帯電話から赤外線通信によって送信される選択指令を受信する赤外線受信手段を備える。この場合，上記赤外線受信手段によって受信した選択指令にもとづいて上記１つのグループを選択するものとなろう。
【００１７】
グループ内に含まれる画像データによって表される画像を，グループごとに一覧で表示するように画像表示装置を制御する表示制御手段，上記表示制御手段による制御にもとづいて表示された画像の中から画像を選択する選択手段，および上記選択手段によって選択された画像を表す画像データを，新たなグループとして記憶するように上記画像データ記憶手段を制御する第１の記憶制御手段をさらに備えるようにしてもよい。
【００１８】
また，上記記憶制御手段によって記憶された画像データのグループ名を入力するグループ名入力手段，および上記グループ名入力手段によって記憶されたグループ名を表すデータを，上記記憶制御手段の制御のもとに記憶される画像データに対応する新たなグループと関連づけて記憶するように上記画像データ記憶手段を制御する第２の記憶制御手段さらに備えてもよい。
【００１９】
上記グループ名入力手段は，たとえば，携帯電話から送信されるグループ名データを受信する赤外線受信手段を備える。この場合，上記赤外線受信手段によって受信したグループ名データによって表されるグループ名を入力するものとなろう。
【００２０】
上記画像データ記憶手段にグループごとに記憶されている画像データによって表される画像を含むアルバム・ページを表すデータを生成するアルバム・ページ生成手段，上記アルバム・ページ生成手段によって生成されたアルバム・ページ・データを所定のアドレスに記憶するように上記画像データ記憶手段を制御する記憶制御手段，上記アドレスへのリクエストを表すデータを受信する受信手段，および上記受信手段によってリクエスト・データを受信したことに応じて，上記画像データ記憶手段の上記アドレスに記憶されているアルバム・ページ・データをリクエスト元の装置に送信するアルバム・ページ・データ送信手段をさらに備えるようにしてもよい。
【実施例】
【００２１】
図１は，この発明の実施例を示すもので，画像閲覧システムの概要を示している。
【００２２】
画像閲覧システムには，画像保管装置１が含まれている。この画像保管装置１には，画像保管装置１に画像ファイルを与えるディジタル・スチル・カメラ２および画像保管装置１に保管（記録）されている画像ファイルによって表される画像を表示するための表示装置３が接続されている。また，画像保管装置１は，画像保管装置１の操作指令を行う携帯電話（操作用携帯電話）４と赤外線通信が可能である。
【００２３】
さらに，画像保管装置１は，インターネットを介して携帯電話（閲覧用携帯電話）５，パーソナル・コンピュータ６などと通信できる。携帯電話５，パーソナル・コンピュータ６からの指令に応じて画像ファイル等が画像保管装置１から携帯電話５，パーソナル・コンピュータ６等に送信される。携帯電話５の表示画面，パーソナル・コンピュータ６の表示画面に，画像保管装置１に保管されている画像ファイルによって表される画像が表示される。
【００２４】
図２は，画像保管装置１の電気的構成を示すブロック図である。
【００２５】
画像保管装置１には，マザー・ボード20が含まれており，このマザー・ボード20上に載っているＣＰＵ10によって，動作が統括される。
【００２６】
ＣＰＵ10には，データを一時的に記憶するメモリ11がバス接続されている。また，ＣＰＵ10には，マウス21およびキーボード22を接続するためのＰＳ／２ポート，赤外線用シリアル・ポート13，ＵＳＢ（Universal Serial Bus）ポート14，ＲＧＰポート15，ＰＣＩ（Peripheral Component Interconnect）ポート16および17ならびにＩＤＥ（Integrated Drive Electronics）ポート18もバス接続されている。
【００２７】
赤外線用シリアル・ポート13には，携帯電話４から赤外線によって送信される指令等を受信する赤外線受光装置23が接続されている。ＵＳＢポート14には，ディジタル・スチル・カメラ２が接続されている。ＲＧＰポート15には，表示装置３が接続されている。一方のＰＣＩポート16には，サウンド・カード24が接続されており，他方のＰＣＩポート17にはＬＡＮ（Local Area Network）カード25が接続されている。ＬＡＮカード25を用いて，画像保管装置１がインターネットに接続できるようになる。
【００２８】
ＩＤＥポート18には，画像ファイル等が記録されているハードディスク28にアクセスするためのハードディスク・ドライバ26およびDVD-RAM（digital versatile disc-random access memory）にアクセスするためのDVD-RAMドライバ27が接続されている。
【００２９】
図３は，携帯電話４の外観を示している。
【００３０】
携帯電話４には，第１の半体30と第２の半体40とが含まれている。これらの第１の半体30と第２の半体40とは内側が重なるように折り曲げ自在である。
【００３１】
第１の半体30の先端部の右側にはアンテナ31が設けられている。また，その先端部の中央部分には画像保管装置１に指令を赤外線通信によって送信するための赤外線発光装置34が設けられている。
【００３２】
また，第１の半体30の内面において，その上部にはスピーカ32が設けられている。スピーカ32の下部には，第１の半体30の内面のほぼ全体にわたって表示画面33が形成されている。
【００３３】
第２の半体40の内面には，その上部に，電源ボタン41およびメニュー・ボタン42が設けられている。これらの電源ボタン41およびメニュー・ボタン42の下には，円管状の形を有し，上下左右に矢印が押下可能に形成されている上下左右ボタン43が形成されている。この上下左右ボタン43の中央部分には決定ボタン44が形成されている。
【００３４】
上下左右ボタン43の下には，発呼ボタン45およびクリア・ボタン46および切断ボタン47が形成されている。これのボタン45から47の下にはテン・キーパッド48が設けられている。さらに，第２の半体40の最下部にはマイクロフォン49が設けられている。
【００３５】
図４は，携帯電話４の電気的構成を示すブロック図である。
【００３６】
携帯電話４の全体の動作は，ＣＰＵ50によって統括される。
【００３７】
携帯電話４には，データを一時的記憶するためのメモリ59，動作プログラム，所定のデータ等が記憶されている不揮発性メモリ60およびカレンダ／時計61が含まれている。
【００３８】
また，携帯電話には，上述したマイクロフォン46に与えられた音声を音声データとして携帯電話４に取り込み，かつ音声データをスピーカ32から出力するための音声制御回路51が含まれている。さらに，上述したように，携帯電話４には，赤外線発光装置34が含まれており，この赤外線発光装置34は，赤外線送受信装置52によって制御される。赤外線発光装置34からは，送受信バッファ・メモリ53に記憶されているデータが赤外線によって出力される。
【００３９】
上述したように，電源ボタン41，メニュー・ボタン42，上下左右ボタン43，決定ボタン44などのボタン類を含む操作スイッチ54からの信号は，インプット／アウトプット・ユニット55によって携帯電話４に入力する。後述するように，携帯電話４の操作スイッチ54を操作することにより，その操作に応じた指令が携帯電話４から画像保管装置１に与えられる。すると，画像保管装置１がその指令に応じて動作することとなる。
【００４０】
また，携帯電話４には，上述した表示画面33をもつ液晶表示装置56が設けられている。この液晶表示装置56は，液晶表示装置56の制御回路56Ａによって表示が制御される。さらに，携帯電話４には，他の携帯電話等から送信される音声データ，画像データ等を受信し，かつ他の携帯電話等に音声データ，画像データ等を送信するための上述したアンテナ31，送受信回路57および送受信バッファ・メモリ58が含まれている。
【００４１】
図５は，画像を保管するときの画像保管装置１の処理手順を示すフローチャート，図６および図７は，画像保管装置１のディレクトリ構成の一例である。
【００４２】
この画像保管装置１の処理手順は，画像保管装置１に画像ファイルを与える装置（ディジタル・スチル・カメラ）ごとに，その装置と一対一に対応するディジタル・スチル・カメラ用フォルダを生成し，対応するフォルダ内に与えられる画像ファイルを格納するものである。さらに，その画像ファイルの撮影日ごとの日付フォルダがディジタル・スチル・カメラ用フォルダの中に生成され，その日付フォルダの日付に対応する日付をもつ画像ファイルがその日付フォルダに格納される。
【００４３】
まず，画像保管装置１とディジタル・スチル・カメラ２とがＵＳＢケーブルによって接続される（ステップ71）。すると，ディジタル・スチル・カメラ２から画像保管装置１に，ディジタル・スチル・カメラ１のシリアルＩＤおよび製品ＩＤが送信され（ディジタル・スチル・カメラ２のモードは，画像ファイルの転送モードに設定されているのはいうまでもない。），画像保管装置１において，これらのシリアルＩＤおよび製品ＩＤが取得される（ステップ72）。また，ディジタル・スチル・カメラ２から画像保管装置１に画像ファイルが送信され，画像保管装置１において，その画像ファイルが読み取られる（ステップ33）。
【００４４】
つづいて，画像保管装置１に接続されているディジタル・スチル・カメラ２に一対一に対応するディジタル・スチル・カメラ用フォルダが，画像保管装置１にすでに生成されているかどうかが確認される（ステップ74）。同一機種の場合には製品ＩＤは同じとなるが，シリアルＩＤは異なるので，同一機種のディジタル・スチル・カメラ２から画像ファイルが与えられても，それぞれのカメラごとのディジタル・スチル・カメラ用フォルダに与えられる画像ファイルが格納されることとなる。もっとも，ディジタル・スチル・カメラ用フォルダはシリアルＩＤおよび製品ＩＤごとに固有のものでなく，機種ごとに固有のものでもよい。以下は，機種ごとに固有のディジタル・スチル・カメラ用フォルダが生成されるものとする。
【００４５】
画像保管装置１に接続されているディジタル・スチル・カメラ用のフォルダが画像保管装置１にすでに生成されていると（ステップ74でＹＥＳ），その対応するディジタル・スチル・カメラ用のフォルダに，読み取られた画像ファイルが格納される（ステップ75）。対応するディジタル・スチル・カメラ用のフォルダが生成されていないと（ステップ74でＮＯ），画像保管装置１に接続されているディジタル・スチル・カメラ２の機種をフォルダ名にもつ新たなディジタル・スチル・カメラ用フォルダが生成される（ステップ76）。機種名もディジタル・スチル・カメラ２から画像保管装置１に与えられているのはいうまでもない。生成されたディジタル・スチル・カメラ用フォルダに，読み取られた画像ファイルが格納される（ステップ77）。
【００４６】
図６を参照して，画像保管装置１に，「ＣＡ０１」，「ＣＡ０２」，「ＦＢ９０」，「ＦＢ９１」などのフォルダ名（ディジタル・スチル・カメラの機種名に対応している）をもつ多数のディジタル・スチル・カメラ用フォルダが生成されている。
【００４７】
画像保管装置１に接続されたディジタル・スチル・カメラ１の機種名が「ＣＡ０１」であり，読み取られた画像ファイルのファイル名が「001.jpg 」，「002.jpg 」，「003.jpg 」などであるとすると，図６に示すように「ＣＡ０１」のフォルダ名をもつディジタル・スチル・カメラ用フォルダに，「001.jpg 」，「002.jpg 」，「003.jpg 」などの画像ファイルが格納される。「ＣＡ０１」のディジタル・スチル・カメラ用フォルダが生成されていない場合には，新たに生成されて格納されるのはいうまでもない。
【００４８】
図５に戻って，読み取られた画像ファイルによって表される画像の撮影日ごとのフォルダ（日付フォルダ）が，ディジタル・スチル・カメラ用フォルダの下の階層に生成される（ステップ78）。生成された日付フォルダに対応する日にちに撮影されて得られた画像ファイルが格納されるようになる。撮影日は，画像ファイルのヘッダ情報から得られるのはいうまでもない。
【００４９】
図７は，ディジタル・スチル・カメラ用フォルダの下の階層に日付フォルダが生成されている様子を示している。
【００５０】
上述した「001.jpg 」，「002.jpg 」，「003.jpg 」などのファイル名をもつ画像ファイルによって表される画像の撮影日は2004年９月１日であるとする。すると，この撮影日から撮影日に対応する20040901というフォルダ名をもつ日付フォルダが生成される。生成された日付フォルダに，対応する撮影日に撮影された画像ファイル（「001.jpg 」，「002.jpg 」，「003.jpg 」などのファイル名をもつ画像ファイル）が格納される。
【００５１】
再び図５に戻って，日付フォルダに格納されている画像ファイルを用いてHTML（HyperText Markup Language ）ファイルが生成される（ステップ79）。そして，その日付を含むＵＲＬ（Uniform Resource Locator）が生成され，そのＵＲＬによって特定される領域に，生成されたHTMLファイルが格納される（ステップ80）。そのＵＲＬにアクセスすることにより，生成されたHTMLファイルによって表されるウェブ・ページが閲覧できるようになる。
【００５２】
図８から図11は，画像閲覧およびアルバム作成の画像保管装置１の処理手順を示すフローチャートである。図12から図19は，画像保管装置１に接続された表示装置３の表示画面に表示される画像の一例である。以下に示す実施例においては，上述したように，画像ファイルが日付フォルダごとに格納されている他に，日付とは異なるフォルダ名をもつフォルダ（以下の例ではアルバム）内に画像ファイルが格納されているものもあるものとする。そして，そのようなアルバムについての閲覧，作成が行われる。
【００５３】
まず，画像保管装置１に表示装置３が接続される（ステップ91）。すると，表示装置３の表示画面には，図12に示すメイン・メニュー画像が表示される（ステップ92）。
【００５４】
図12を参照して，表示装置３の表示画面120 に表示されるメイン・メニュー画像には，そのほぼ中央に，アルバム（フォルダ）に格納されている画像ファイルによって表される画像のうち代表的のサムネイル画像（最初に格納された画像でもよいし，ファイル名を順番に並べた場合に最初のファイル名をもつ画像でもよい）123 が表示されている。中央に表示されている画像123 が格納されているアルバムが現在，ユーザによって選択されているアルバムとなる。この代表的な画像123 の右上方向に連なって他のアルバムの代表的な画像124 も表示されている。また，同様に，代表的な画像123 の右下方向に連なって他のアルバムの代表的な画像125 も表示されている。中央の代表的な画像123 が一番大きく，右上方向および右下方向にいくにつれてそれらの画像124 および125 の大きさは小さくなっている。
【００５５】
中央の代表的な画像123 の左側には，その代表的な画像123 が格納されているアルバムのアルバム名（フォルダ名）121 が表示されている。また，アルバム名121 の下には，そのアルバムを作成した年月日（作成方法については後述する）122 も表示されている。
【００５６】
中央の代表的な画像123 の右側には，操作ボタンとして閲覧ボタン126 および作成ボタン127 が表示されている。閲覧ボタン126 は，選択されたアルバムに格納されている画像ファイルによって表される画像を閲覧する場合にユーザによって選択されるものである。作成ボタンは，新たにアルバムを作成する場合にユーザによって選択されるものである。
【００５７】
上述したように，ユーザは携帯電話４を用いて画像保管装置１に指令を与えることができる。図12に示すメイン・メニュー画像が表示装置３の表示画面120 に表示されている場合に，携帯電話４の上下左右ボタン43の上矢印または下矢印が押されると，押されたことを示すデータが赤外線通信によって携帯電話４から画像保管装置１に送信される。上矢印が押された場合には，メイン・メニュー画像のほぼ中央に表示されているサムネイル画像123 とその右上に表示されている画像124 とが入れ替わって表示されるようになる。メイン・メニュー画像の中央部分には，新たに選択されたサムネイル画像が表示されるようになる。携帯電話４の上下左右ボタン43の下矢印が押された場合も同様に，画像125 によって特定されるアルバムが選択されるようになる。
【００５８】
携帯電話４の上下左右ボタン43の左矢印または右矢印が押されることに応じて，閲覧ボタン126 または作成ボタン127 の選択が切り替わる。
【００５９】
携帯電話４の決定ボタン44が押されると，中央に表示されている画像を代表画像としてもつアルバムの選択が決定され，かつ閲覧ボタン126 または作成ボタン127 のうち選択されている動作が決定される。
【００６０】
図８に戻って，閲覧ボタン126 が選択されたものとする（ステップ93）。すると，表示装置３の表示画面120 には図13に示すアルバム・メイン画像が表示される。
【００６１】
図13を参照して，アルバム・メイン画像には水平方向および垂直方向に多数のサムネイル画像ｉ１が表示されている。これらのサムネイル画像は，選択されたアルバムに格納されている画像ファイルによって表されるものである。これらのサムネイル画像ｉ１のうち１つのサムネイル画像を囲むようにカーソル128 が表示されている。
【００６２】
上述したの同様に携帯電話４の上下左右ボタン43の上下左右の矢印の押下に応じてカーソル128 が上下左右に移動する。
【００６３】
再び，図８に戻って，携帯電話４のメニュー・ボタン42が押されると（ステップ95でＹＥＳ），表示画面120 には，図14に示すメニュー表示画像が表示される（ステップ96）。
【００６４】
図14を参照して，メニュー表示画像のほぼ中央に水平方向にわたってサムネイル画像ｉ１上に重ねられてメニュー領域130 が表示されている。メニュー領域130 には，１枚表示ボタン131 ，スライドショー・ボタン132 ，その他のボタン133 が表示されている。１枚表示ボタン131 は，選択された画像を表示画面120 の全体に渡って一駒表示する場合にユーザによって選択される。スライドショー・ボタン132 は，選択されたアルバムに格納されている画像ファイルによって表される画像をスライドショーとして表示する場合にユーザによって選択される。これらのボタンの選択は上述したように，携帯電話４の上下左右ボタン43が用いられる。
【００６５】
図８を参照して，１枚表示ボタンがまず押されたとものとする（ステップ97）。携帯電話４の決定ボタン44が押されると（ステップ98でＹＥＳ），カーソル128 によって選択された画像Ｉ１が表示画面120 の全体に渡って一駒で表示される（ステップ99）（図15参照）。
【００６６】
スライドショー・ボタン132 が選択され（ステップ97），決定ボタン44が押されると（ステップ100 でＹＥＳ），表示画面120 には，図16に示すスライドショー・メニュー表示画像が表示される（ステップ101 ）。
【００６７】
図16を参照して，スライドショー・メニュー表示画像には，メニュー領域130 の上部にスライドショー・メニュー領域140 が表示されている。このスライドショー・メニュー領域140 には，さまざまなやり方のスライドショーを選択するためのボタン141 から145 が含まれている。たとえば，ボタン141 は，選択されたアルバムに格納されている画像ファイルによって表される画像を一定時間ごとに切り替えて表示するシンプル・スライドショーを行わせる場合に携帯電話４を用いて選択される。ボタン142 は，画像をセピア色に代えて一定時間ごとに切り替えて表示させる思い出セピア・スライドショーを行わせる場合に携帯電話４を用いて選択される。その他のボタン143〜145もそれぞれのやり方でスライドショーを実行するときに携帯電話４を用いて選択される。
【００６８】
図９に戻って，スライドショー・メニュー領域140 の中からいずれかのボタンが選択されると（ステップ102 でＹＥＳ），携帯電話４の決定ボタン44が押されたことに応じて（ステップ103 でＹＥＳ），選択されたアルバムに格納されている画像ファイルによって表される画像が，選択されたスライドショーのやり方にしたがってスライドショーが開始させられる（ステップ104 ）。
【００６９】
つぎに，メイン・メニュー画像（図12参照）が表示されている場合において，作成ボタン127 が選択された場合について説明する。上述したように，アルバムを作成する場合に，作成ボタン127 が携帯電話４を用いて選択される。
【００７０】
図10を参照して，作成ボタン127 が選択されると，表示画面120 には，図17に示す画像取り込み元アルバム選択画像が表示される（ステップ105 ）。
【００７１】
図17を参照して，画像取り込み元アルバム選択画像には，中央のサムネイル画像123 の右側に選択ボタン151 および作成開始ボタン152 が表示されている。選択ボタン151 は，新たなアルバムの作成に用いられるアルバムを選択する場合にユーザによって選択されるものである。作成開始ボタン152 は，アルバムの選択が終了し，アルバムの作成を開始するときにユーザによって選択されるものである。
【００７２】
画像取り込み元アルバム選択画像には，左側に選択アルバム表示領域160 も形成されているものである。選択アルバム表示領域160 は，ユーザによって選択された新たなアルバムの作成に利用されるアルバムの代表画像が表示される領域である。選択アルバム表示領域160 には，ユーザによって選択されたアルバムの代表画像161〜163が表示されている。
【００７３】
上述したように，閲覧する場合と同様に，携帯電話４の上下左右ボタン43の上矢印または下矢印が押されることにより，アルバムが選択され，その選択されたアルバムの代表画像が代表画像123 で示されているように中央に表示される。図10に戻って，選択ボタン151 が携帯電話４を用いて選択され（ステップ106 ），決定ボタン44が押されると（ステップ107 でＹＥＳ），携帯電話４の決定ボタン44が押されると，表示画面120 の中央に表示されている画像を代表画像としてもつアルバムの選択が決定されたものとして，その代表画像が選択アルバム表示領域160 に表示されるようになる（ステップ108 ）。
【００７４】
新たなアルバムの利用されるアルバムの選択が終了すると，携帯電話４を用いてユーザによって作成開始ボタン152 が選択される（ステップ109 でＹＥＳ）。すると，表示画面120 には，図18に示す画像選択画像が表示される（ステップ110 ）。
【００７５】
図18を参照して，画像選択画像には，水平方向に伸びたアルバム内容表示領域171〜173が垂直方向に並んでいる。また，これらのアルバム内容表示領域171〜173の下には選択された画像ｉ40を表示する領域174 が表示されている。さらに，右下には作成ボタン174 が表示されている。それぞれのアルバム内容表示領域171 ，172 および173 の左側にはそれぞれのアルバムの代表画像ｉ10，ｉ20およびｉ30が表示されている。また，それぞれのアルバム内容表示領域171 ，172 および173 には，それぞれのアルバムに格納されている画像ファイルによって表される画像ｉ11，ｉ21およびｉ31が表示されている。これらの画像ｉ11，ｉ21およびｉ31のうち，いずれかの画像を囲むようにカーソル176 が表示されている。ユーザはこれらの画像ｉ11，ｉ21およびｉ31を見ながら，新たに作成するアルバムに格納すべき画像を次のようにして選択することとなる。
【００７６】
携帯電話４の上下左右ボタン43の上下左右の矢印の押下に対応してカーソル176 が画像ｉ11，ｉ21またはｉ31を囲むようにして移動する。所望の画像がカーソル176 によって囲まれているときに携帯電話４の決定ボタン44が押されると，カーソル176 によって囲まれている画像が選択されたこととなり，領域174 に表示されるようになる。
【００７７】
図11を参照して，上述したように画像が選択され（ステップ111 でＹＥＳ），かつ決定ボタン44が押されると（ステップ112 でＹＥＳ），選択画像表示領域174 に選択された画像が表示される（ステップ113 ）。
【００７８】
新たなアルバムに格納される新たな画像がすべて選択されるとユーザによって携帯電話４を用いて作成ボタン175 が選択される（ステップ114 でＹＥＳ）。携帯電話４の決定ボタン175 が押されると（ステップ115 でＹＥＳ），表示画面120 には図19に示すアルバム名入力画像が表示される（ステップ116 ）。
【００７９】
図19を参照して，アルバム名入力画像にはそのほぼ中央に水平方向に渡ってアルバム名表示領域180 が表示されている。このアルバム名表示領域180 の下には，ＯＫ領域181 およびクリア領域182 が表示されている。アルバム名表示領域180 には，作成年月日がアルバム名としてデフォルトで表示される。このデフォルトのアルバム名を変更する場合には，クリア領域182 が選択された後に，携帯電話４のテン・キーパッド48を用いて文字が入力される。入力された文字を表すデータが携帯電話４から画像保管装置１に送信され，画像保管装置１において受信されることにより（ステップ117 ），その入力された文字がアルバム名としてアルバム名表示領域180 に表示される。携帯電話４を用いてＯＫボタン181 が選択され，決定ボタン44が押されると（ステップ118 でＹＥＳ），アルバムの作成が終了する。所望の画像から構成され，かつ所望のアルバム名をもつ新たなアルバムが作成されるようになる。
【００８０】
図20から図22は他の実施例を示すものである。この実施例は，閲覧用携帯電話５からのリクエストに応じてアルバムを構成する画像のウェブ・ページをその携帯電話５に送信するものである。
【００８１】
図20は，画像保管装置１と閲覧用携帯電話５との間の処理手順を示すフローチャートである。
【００８２】
上述したように，アルバムを表すHTMLファイルが格納されているＵＲＬが本文に記述された電子メールが画像保管装置１のユーザの携帯電話４から閲覧用携帯電話５に送信される。その電子メールが閲覧用携帯電話５において受信される（ステップ201 ）。
【００８３】
図21は，閲覧用携帯電話５において受信された電子メールの本文が表示されている携帯電話５の表示画面210 を示している。表示画面210 には，その電子メールの本文に記述されているＵＲＬ211 がクリッカブル領域として表示されている。携帯電話５にも上下左右ボタンおよび決定ボタンが含まれており，これらのボタンを用いてＵＲＬをクリックすることができる。
【００８４】
図20に戻って，電子メール本文に記述されているＵＲＬが閲覧用携帯電話５のユーザによってクリックされると（ステップ202 でＹＥＳ），そのＵＲＬによって特定される領域に記憶されているHTMLファイルによって表されるアルバムのリクエストが閲覧用携帯電話５から画像保管装置１に送信される（ステップ203 ）。
【００８５】
閲覧用携帯電話５から送信されたアルバム・リクエストが画像保管装置１において受信されると（ステップ191 でＹＥＳ），そのアルバム・リクエストに対応したHTMLファイルが読み取られる。読み取られたHTMLファイルが画像保管装置191 から閲覧用携帯電話５に送信される（ステップ192 ）。
【００８６】
画像保管装置１から送信されたHTMLファイルが携帯電話５において受信されると（ステップ204 でＹＥＳ），そのHTMLファイルによって表されるアルバム（ウェブ・ページ）が図22に示すように携帯電話５の表示画面210 に表示される（ステップ205 ）。
【００８７】
図22を参照して，表示画面210 には，上述したようにディジタル・スチル・カメラ２から与えられた画像ファイルによって表され画像（サムネイル画像）ｉ50が表示されている。また，表示画面210 の下にはマイアルバムに追加と表示されているボタン221 およびダウンロードと表示されているボタン222 が表示されている。ボタン221 は，表示画面210 に表示されているアルバムのウェブ・ページＵＲＬを閲覧用携帯電話５に登録するときにユーザによってクリックされるものである。ボタン222 は，表示画面210 に表示されているアルバムを構成するサムネイル画像ｉ50の原画像を表す画像ファイルまたは携帯電話５の表示に適した画像ファイルをダウンロードするときにユーザによってクリックされるものである。携帯電話５の表示に適した画像ファイルをダウンロードする場合には，携帯電話５の機種情報が画像保管装置１に与えられ，その機種情報にもとづいて画像ファイルが変換（画像の大きさの変換，フォーマット変換など）されるのはいうまでもない。
【００８８】
図20に戻って，ダウンロード・ボタン222 が携帯電話５のユーザによってクリックされると（ステップ205 でＹＥＳ），画像保管装置１に画像リクエストが送信される（ステップ207 ）。
【００８９】
携帯電話５から送信された画像リクエストが画像保管装置１において受信されると（ステップ193 でＹＥＳ），そのリクエストに応じてアルバムに格納されているすべての画像ファイルが携帯電話５に送信される（ステップ194 ）。もちろん，アルバムの中の特定の画像のみを指定することもでき，その指定があった場合には指定された画像を表す画像ファイルが画像保管装置１から携帯電話５に送信される。
【００９０】
画像保管装置１から送信された画像ファイルが携帯電話５において受信されると（ステップ207 ），その画像ファイルによって表される画像が表示画面210 の全画面に渡って一駒で表示されるようになる。
【００９１】
上述した実施例においては，画像保管装置１は，ディジタル・スチル・カメラ２から与えられた画像ファイルを保管しているが，ディジタル・スチル・カメラ２以外のものでも画像ファイルを画像保管装置１に与えられるものであればよい。たとえば，CD-ROMドライバを介して画像ファイルが与えられる場合，インターネットを介して画像ファイルが与えられる場合でもよい。また，閲覧は，携帯電話だけでなく，パーソナル・コンピュータ６などでもよい。
【図面の簡単な説明】
【００９２】
【図１】画像閲覧システムの概要を示している。
【図２】画像保管装置の電気的構成を示すブロック図である。
【図３】携帯電話の外観を示している。
【図４】携帯電話の電気的構成を示すブロック図である。
【図５】画像を保管する場合の画像保管装置の処理手順を示すフローチャートである。
【図６】画像保管装置のディレクトリ構成を示している。
【図７】画像保管装置のディレクトリ構成を示している。
【図８】画像閲覧，アルバム作成の画像保管装置の処理手順を示すフローチャートである。
【図９】画像閲覧，アルバム作成の画像保管装置の処理手順を示すフローチャートである。
【図１０】画像閲覧，アルバム作成の画像保管装置の処理手順を示すフローチャートである。
【図１１】画像閲覧，アルバム作成の画像保管装置の処理手順を示すフローチャートである。
【図１２】画像保管装置に表示される画像の一例である。
【図１３】画像保管装置に表示される画像の一例である。
【図１４】画像保管装置に表示される画像の一例である。
【図１５】画像保管装置に表示される画像の一例である。
【図１６】画像保管装置に表示される画像の一例である。
【図１７】画像保管装置に表示される画像の一例である。
【図１８】画像保管装置に表示される画像の一例である。
【図１９】画像保管装置に表示される画像の一例である。
【図２０】画像保管装置と閲覧用携帯電話との処理手順を示すフローチャートである。
【図２１】閲覧用携帯電話に表示される画像の一例である。
【図２２】閲覧用携帯電話に表示される画像の一例である。
【符号の説明】
【００９３】
１  画像保管装置
２  ディジタル・スチル・カメラ（画像データ記憶装置）
３  表示装置
４  携帯電話（操作用）
５  携帯電話（閲覧用）
10  ＣＰＵ
13  赤外線用シリアル・ポート
14  ＵＳＢ（画像データ入力手段）
23  赤外線受光装置
28  ハードディスク（画像データ記憶手段）
【図１】
2006094124.tif 000003
【図２】
2006094124.tif 000004
【図３】
2006094124.tif 000005
【図４】
2006094124.tif 000006
【図５】
2006094124.tif 000007
【図６】
2006094124.tif 000008
【図７】
2006094124.tif 000009
【図８】
2006094124.tif 000010
【図９】
2006094124.tif 000011
【図１０】
2006094124.tif 000012
【図１１】
2006094124.tif 000013
【図１２】
2006094124.tif 000014
【図１３】
2006094124.tif 000015
【図１４】
2006094124.tif 000016
【図１５】
2006094124.tif 000017
【図１６】
2006094124.tif 000018
【図１７】
2006094124.tif 000019
【図１８】
2006094124.tif 000020
【図１９】
2006094124.tif 000021
【図２０】
2006094124.tif 000022
【図２１】
2006094124.tif 000023
【図２２】
2006094124.tif 000024